(57)【要約】【課題】現場（現地）の天候に左右されることなく行うことができ、既設の横葺き屋根の外側に新設屋根を構築する施工作業を容易に行うことができる改修用保持部材、それを用いた横葺き屋根の改修構造、及び横葺き屋根の改修方法を提供する。【解決手段】本発明は、既設の横葺き屋根６の外側に働き幅が等しいか或いはその整数倍の新設の横葺き屋根３を構築するための改修用保持部材１であって、新設屋根を形成する新設屋根材３を取付可能である本体部と、既設屋根を形成する既設屋根材６に嵌合するバネ鋼２とを一体化してなり、前記バネ鋼２は、前記既設屋根材６のハゼ部６２に弾性に抗して変形させて嵌合可能であることを特徴とする。【選択図】図１
2018131761.tif 000002
【特許請求の範囲】
【請求項１】
既設の横葺き屋根の外側に働き幅が等しいか或いはその整数倍の新設の横葺き屋根を構築するための改修用保持部材であって、
新設屋根を形成する新設屋根材を取付可能である本体部と、
既設屋根を形成する既設屋根材に嵌合するバネ鋼とを一体化してなり、
前記バネ鋼は、前記既設屋根材のハゼ部に弾性に抗して変形させて嵌合可能であることを特徴とする改修用保持部材。
【請求項２】
請求項１に記載の改修用保持部材を用いた横葺き屋根の改修構造であって、
既設屋根を形成する既設屋根材のハゼ部にバネ鋼を弾性的に嵌合させて改修用保持部材を固定すると共に、その本体部に新設屋根を形成する新設屋根材を取り付けてなることを特徴とする横葺き屋根の改修構造。
【請求項３】
請求項１に記載の改修用保持部材を用いた横葺き屋根の改修方法であって、
新設屋根を形成する新設屋根材の水下側成形部に、改修用保持部材の本体部を遊嵌させる第１の工程と、
既設屋根を形成する既設屋根材のハゼ部に対し、水下側より前記新設屋根材に沿わせた前記改修用保持部材を臨ませる第２の工程と、
前記既設屋根材のハゼ部に、前記改修用保持部材のバネ鋼を弾性的に嵌合させて固定することにより前記新設屋根材を取り付ける第３の工程と、
からなることを特徴とする横葺き屋根の改修方法。
【発明の詳細な説明】
【技術分野】
【０００１】
本発明は、現場（現地）の天候に左右されることなく行うことができ、既設の横葺き屋根の外側に新設屋根を構築する施工作業を容易に行うことができる改修用保持部材、それを用いた横葺き屋根の改修構造、及び横葺き屋根の改修方法に関する。
【背景技術】
【０００２】
既設屋根を葺き替える理由としては、様々な理由による部分的な破損や老朽化といった必要性に基づくものと、例えば屋根材の色彩等を変えてリフォーム感を演出するといった意匠性の変更に基づくものとがある。何れのケースにおいても、屋根材を支える躯体に問題が無い場合には、既設屋根を形成する横葺き外装材を剥がさずに新設屋根を構築する工法が多く採られている。その際、従来技術では、新設屋根を固定する吊子等の部材をビス等の固定具で既設屋根に穴を開けて下地に固定していた。
【発明の開示】
【発明が解決しようとする課題】
【０００３】
しかし、前述の工法では、既設屋根にビス等の固定具を打ち込むための穴を開ける作業が必須であり、しかも新設屋根は当該ビス等の固定具の固定強度に大きく依存するため、既設屋根の裏面側の躯体の位置を特定して固定具を打ち込む作業が極めて面倒であった。また、施工中の降雨等による漏水被害の恐れがあるため、作業が現場（現地）の天候に左右されるという問題もあった。
【０００４】
そこで、本発明は、現場（現地）の天候に左右されることなく行うことができ、既設の横葺き屋根の外側に新設屋根を構築する施工作業を容易に行うことができる改修用保持部材、それを用いた横葺き屋根の改修構造、及び横葺き屋根の改修方法を提案することを目的とする。
【課題を解決するための手段】
【０００５】
本発明は、上記に鑑み提案されたもので、既設の横葺き屋根の外側に働き幅が等しいか或いはその整数倍の新設の横葺き屋根を構築するための改修用保持部材であって、新設屋根を形成する新設屋根材を取付可能である本体部と、既設屋根を形成する既設屋根材に嵌合するバネ鋼とを一体化してなり、前記バネ鋼は、前記既設屋根材のハゼ部に弾性に抗して変形させて嵌合可能であることを特徴とする改修用保持部材に関するものである。
【０００６】
また、本発明は、前記改修用保持部材を用いた横葺き屋根の改修構造であって、既設屋根を形成する既設屋根材のハゼ部にバネ鋼を弾性的に嵌合させて改修用保持部材を固定すると共に、その本体部に新設屋根を形成する新設屋根材を取り付けてなることを特徴とする横葺き屋根の改修構造をも提案するものである。
【０００７】
さらに、本発明は、前記改修用保持部材を用いた横葺き屋根の改修方法であって、新設屋根を形成する新設屋根材の水下側成形部に、改修用保持部材の本体部を遊嵌させる第１の工程と、既設屋根を形成する既設屋根材のハゼ部に対し、水下側より前記新設屋根材に沿わせた前記改修用保持部材を臨ませる第２の工程と、前記既設屋根材のハゼ部に、前記改修用保持部材のバネ鋼を弾性的に嵌合させて固定することにより前記新設屋根材を取り付ける第３の工程と、からなることを特徴とする横葺き屋根の改修方法をも提案するものである。
【発明の効果】
【０００８】
本発明の改修用保持部材は、本体部とバネ鋼とをスポット溶接等にて一体化したものであって、既設屋根を形成する既設屋根材のハゼ部に対し、バネ鋼を弾性に抗して変形させて嵌合することができ、本体部に対し、新設屋根を形成する新設屋根材を取り付けることができる。
【０００９】
また、本発明の横葺き屋根の改修構造及び改修方法は、既設屋根を取り外すことなくそのまま下地として利用し、既設屋根のハゼ部に嵌合状に改修用保持部材を配するので位置決めが容易で、それに取り付ける新たな横葺き外装材も安定に固定される。
しかも流れ方向の水上側から水下側へ敷設できるので、施工済みの新設屋根材を作業者が踏んだり汚したり傷つけることがなく、足場費用を軽減でき、工期も短縮でき、施工の安全性も向上する。
さらに、既設屋根を剥がすことなく新設屋根を施工するので、撤去等に関するコストが掛からず、全体的に安価に葺き替えることができる。また、新設屋根の下に既設屋根があることで、新設屋根の施工後の構造が二重となり、雨仕舞に優れる。そして、既設屋根のハゼ部等に応じて適宜形状のバネ鋼を選択して改修用保持部材を作成すればよいので、多種の既設屋根に適応させることができる。
【図面の簡単な説明】
【００１０】
【図１】（ａ）本発明の第１実施例の改修用保持部材を示す側面図、（ｂ）第１実施例の改修用保持部材を構成する本体部の側面図、（ｃ）第１実施例の改修用保持部材を構成するバネ鋼の拡大側面図、（ｄ）新設屋根材を示す側面図、（ｅ）施工された第１実施例の改修横葺き構造を示す側断面図である。
【図２】（ａ）第１の工程を示す側断面図、（ｂ）第３の工程直後の状態を示す側断面図である。
【図３】（ａ）本発明の第２実施例の改修用保持部材を示す側面図、（ｂ）第２実施例の改修用保持部材を構成するバネ鋼の拡大側面図、（ｃ）施工された第２実施例の改修横葺き構造を示す側断面図である。
【発明を実施するための形態】
【００１１】
本発明の改修用保持部材は、既設の横葺き屋根の外側に働き幅が等しいか或いはその整数倍の新設の横葺き屋根を構築するための部材であって、新設屋根を形成する新設屋根材を取付可能である本体部と、既設屋根を形成する既設屋根材に嵌合するバネ鋼とを一体化してなり、前記バネ鋼は、前記既設屋根材のハゼ部に弾性に抗して変形させて嵌合可能であることを特徴とする。
【００１２】
前記本体部は、前述のように新設屋根を形成する新設屋根材を取付可能な部位であって、例えば材質としては軽量且つ高強度のアルミの押出型材を用いても良いし、新設外装材の大きさ、所要強度により通常０．６乃至３．２ｍｍ程度のステンレス鋼板やメッキ鋼板等をプレス加工する等して成形したものでも良く、特に限定するものではない。また、その形状としては、新設屋根材のハゼ部の裏面側に沿う構成（保持部）を備えるものであれば、それ以外の構成については特に限定するものではない。例えば後述する図示実施例のように複数のリブを形成して強度を補助（補強）してもよいし、新設屋根材の面板部の裏面側に沿う支持部や、既設屋根材の面板部に沿う設置部を設けて設置安定性を向上するようにしてもよい。或いは、前記支持部と前記設置部との間に縦Ｚ字状の中間部を設けるようにしてバネ鋼の取付部位としてもよい。なお、前記設置部は、接着や固定具による締着によって既存屋根に固定してもよい。
【００１３】
前記バネ鋼は、前述のように既設屋根を形成する既設屋根材に嵌合する部位であり、既設屋根材のハゼ部に弾性に抗して変形させて嵌合可能であり、例えば材質としては各種の金属板材の成形品等が用いられるが特に限定するものではない。また、その形状としては、既設屋根のハゼ部に対して嵌合させた際にバネ弾性が作用する（上下から挟み込むように作用する）ものであれば、その具体的な構成については特に限定するものではない。例えば後述する図示実施例のようにこのバネ鋼を略コ字状に成形し、対向状の上片の先端に下方へ折返し状の上方弾性片を形成するか、或いは下片の先端に上方へ折返し状の下方弾性片を形成するか、或いはその両方を採用した構成でもよい。
【００１４】
前記本体部と前記バネ鋼との一体化手段についても特に限定するものではなく、スポット溶接等、公知の手段を採用して固定すればよい。なお、その際の固定は、一面のみの接着よりも二面（以上）に亘る固定が望ましい。
【００１５】
また、前記改修用保持部材は、既設の横葺き屋根の外側に働き幅が等しいか或いはその整数倍の新設の横葺き屋根を構築するための部材であるが、これは改修用保持部材（のバネ鋼）を既設屋根のハゼ部に取り付けると共に該改修用保持部材（の本体部）に新設屋根を取り付けるので、半ば自明のことである。
【００１６】
このように新設屋根と既設屋根の働き幅が等しいか或いはその整数倍という制限はあるものの、既設屋根のハゼ部に応じて嵌合状に取り付けられるバネ鋼を形成すればよいので、新設屋根の構成については既設屋根に何ら制約を受けるものではない。そのため、本体部も何ら制約を受けるものではない。したがって、既設屋根のハゼ部等に応じて適宜形状のバネ鋼を選択して改修用保持部材を作成すればよいので、多種の既設屋根に適応させることができる。
【００１７】
新設屋根材については、前述のように既設屋根の働き幅が等しいか或いはその整数倍という制限はあるが、特にその素材や形状を限定するものではなく、代表的には概ね０．４〜１．６ｍｍ程度の表面化粧鋼板、ラミネート鋼板、メッキ鋼板、ステンレス鋼板、アルミ合金板、チタン合金板、銅板等の公知の金属素材をロール成形、押し出し成形その他の手段で所定の形状に成形したものを適宜に用いることができる。さらに、新設外装材の裏面には、結露防止、防音、防火対策上の理由により、必要に応じてポリエチレンフォーム、グラスウールシート等の裏貼り材を添装しても良い。
【００１８】
前記改修用保持部材を用いた横葺き屋根の改修方法は、新設屋根を形成する新設屋根材の水下側成形部に、改修用保持部材の本体部を遊嵌させる第１の工程と、既設屋根を形成する既設屋根材のハゼ部に対し、水下側より前記新設屋根材に沿わせた前記改修用保持部材を臨ませる第２の工程と、前記既設屋根材のハゼ部に、前記改修用保持部材のバネ鋼を弾性的に嵌合させて固定することにより前記新設屋根材を取り付ける第３の工程と、からなる。
【００１９】
前記第１の工程は、新設屋根を形成する新設屋根材の水下側成形部に、改修用保持部材の本体部を遊嵌させるものであり、この状態の改修用保持部材は、新設屋根材に固定されておらず、後述する図示実施例のように吊り状に回動（傾動）可能である。
【００２０】
前記第２の工程は、既設屋根を形成する既設屋根材のハゼ部に対し、水下側より前記新設屋根材に沿わせた前記改修用保持部材を臨ませるものであり、全体としても水上側から水下側へ施工を進めるものである。そのため、施工済みの新設屋根材を作業者が踏んだり汚したり傷つけることがなく、足場費用を軽減でき、工期も短縮でき、施工の安全性も向上する。
【００２１】
前記第３の工程は、既設屋根材のハゼ部に、改修用保持部材のバネ鋼を弾性的に嵌合させて固定することにより新設屋根材を取り付けるものであり、取付安定性を向上するために既設屋根に沿わせた設置部に固着具を打ち込んで固定してもよいし、設置部を接着剤等を用いて新設屋根材に接着してもよい。
【００２２】
これらの第１〜第３の工程を繰り返して行われる施工方法は、前述のように水上側から水下側へ施工を進めるため、施工済みの新設屋根材を作業者が汚したり傷つけることがなく、足場費用を軽減でき、工期も短縮でき、施工の安全性も向上するという利点がある。また、既設屋根の撤去等に関するコストが掛からず、全体的に安価に葺き替えることができる。
【００２３】
また、このように施工される横葺き屋根の改修構造は、既設屋根を剥がすことなく新設屋根を施工したものであるから、新設屋根の下に既設屋根があることで、新設屋根の施工後の構造が二重となり、雨仕舞に優れている。
【実施例１】
【００２４】
本発明の改修用保持部材１は、図１（ａ）に示す第１実施例のように本体部１０と、バネ鋼２とを一体化してなる構成であり、図１（ｄ）に示すように既設の横葺き屋根６の外側に働き幅が等しい新設の横葺き屋根３を構築するための部材である。
【００２５】
前記本体部１０は、新設屋根を形成する新設屋根材３を取付可能な部位であって、材質は軽量且つ高強度のプレス加工品であり、その形状は図１（ｂ）に示すように新設屋根材３のハゼ部３２の裏面側に沿う保持部１１、面板部３１の裏面側に沿う支持部１２、既設屋根材６の面板部６１に沿う設置部１３、縦片状の持出部１４、Ｌ字状の被固定部１５を有する構成であり、補強用のリブ１６も設けられている構成である。
【００２６】
前記バネ鋼２は、既設屋根を形成する既設屋根材６に嵌合する部位であり、既設屋根材６のハゼ部６２に弾性に抗して変形させて嵌合可能であり、材質は金属板材の成形品であり、その形状は、既設屋根６のハゼ部６２に対して嵌合させた際にバネ弾性が作用する（上下から挟み込むように作用する）ものである。具体的には図１（ｃ）に拡大して示すように、このバネ鋼２を略コ字状に成形し、対向状の上片２１の先端に下方へ折返し状の上方弾性片２１１を形成し、下片２２の先端に上方へ折返し状の下方弾性片２２１を形成し、前記上方弾性片２１１を設置状態の上方弾性片２１１ｓに対して角度αだけ大きく成形して配設状態にてバネ弾性が作用するようにした。
なお、前記本体部１０と前記バネ鋼２とは、スポット溶接にて一体化している。
【００２７】
前記構成の改修用保持部材１により取り付けられる新設屋根材３は、図１（ｅ）に示すように既設屋根６と働き幅が等しく、図１（ｄ）に示すように略平坦状の面板部３１の水下側（図面左側）及び水上側（図面右側）に相互に係合する水下側成形部３２、水上側成形部３３を有する横葺き屋根材であり、前記面板部３１の裏面側には裏貼り材３ｂが添装され、断面が略矩形状の断熱材４と共に既設屋根６の上面（外側）に敷設されるものである。
【００２８】
また、前記新設屋根材３が敷設される既設屋根を形成する既設屋根材６は、下地７上に吊子５にて取り付けられ、図１（ｅ）に示すように略平坦状の面板部６１の水下側（図面左側）及び水上側（図面右側）に相互に係合する水下側成形部６２、水上側成形部６３を有する横葺き屋根材である。
【００２９】
前記改修用保持部材１を用いた横葺き屋根の改修方法は、以下の第１〜第３の工程を繰り返して行われる。
まず、第１の工程として、図２（ａ）に示すように新設屋根を形成する新設屋根材３の水下側成形部３２に、改修用保持部材１の本体部１０を遊嵌させる。この状態の改修用保持部材１は、新設屋根材３に固定されておらず、吊り状に回動（傾動）可能である。
次に、第２の工程として、既設屋根を形成する既設屋根材６のハゼ部６２に対し、水下側より前記新設屋根材３に沿わせた前記改修用保持部材１を臨ませる。
そして、第３の工程として、前記既設屋根材６のハゼ部６２に、前記改修用保持部材１のバネ鋼２を弾性的に嵌合させて固定することにより前記新設屋根材３を取り付けるのであるが、具体的には、改修用保持部材１の本体部１０（より詳細にはその被固定部１５）を側方（左方）からハンマー等で打ち付けて既設屋根材６のハゼ部６２に入れることによりバネ鋼２が弾性的に嵌合される。なお、既設屋根材６の面板部６１に沿わせた設置部１３に、図示しない固着具を打ち込んで固定することにより取付安定性を向上するようにしてもよい。
【００３０】
これらの第１〜第３の工程を繰り返して行われる施工方法では、前述のように水上側から水下側へ（図面では右方から左方へ）施工を進めるため、施工済みの新設屋根材３を作業者が汚したり傷つけることがなく、足場費用を軽減でき、工期も短縮でき、施工の安全性も向上する。また、既設屋根の撤去等に関するコストが掛からず、全体的に安価に葺き替えることができる。
【００３１】
そして、このように施工される図２（ｂ）に示す横葺き屋根の改修構造は、既設屋根６を剥がすことなく新設屋根３を施工したものであるから、新設屋根３の下に既設屋根６があることで、新設屋根３の施工後の構造が二重となり、雨仕舞に優れている。
【００３２】
図３（ａ）に示す第２実施例の改修用保持部材１'は、その本体部１０については前記第１実施例と全く同様であるから図面にも同一符号を付して説明を省略するが、バネ鋼２'については、図３（ｂ）に拡大して示すように上片２１'が段状に形成され、弾性に抗して先端の上方弾性片２１１'ばかりでなく上片２１'自体も図中に矢印で示す変形を加えて嵌合させることによりその反発（バネ弾性）が作用するようにしている。それ以外にも下方弾性片２２１'にもバネ弾性を作用させるようにしてもよい。
【００３３】
図３（ｃ）に示す改修構造は、前記改修用保持部材１'を用いて施工したものであって、
前記第１実施例の改修構造に比較して既設並びに新設の屋根材６'，３'の働き幅が小さい以外は殆ど同様である。
この第２実施例における新設屋根材３'は、前述のように働き幅が小さい、即ち略平坦状の面板部３１'の寸法が短い以外は、その水下側及び水上側に相互に係合する水下側成形部３２'、水上側成形部３３'を有する点も、その裏面側に裏貼り材３ｂ'が添装され、断面が略矩形状の断熱材４'（第１実施例の断熱材４に比べて長さ寸法が短い）と共に既設屋根６'の上面（外側）に敷設される点も全く同様である。
また、この第２実施例における既設屋根材６'も、前述のように働き幅が小さい、即ち略平坦状の面板部６１'の寸法が短い以外は、その水下側及び水上側に相互に係合する水下側成形部６２'、水上側成形部６３'を有する点も、下地７上に吊子５'にて取り付けられる点も全く同様である。
【符号の説明】
【００３４】
１，１'  改修用保持部材
１０  本体部
２，２'  バネ鋼
３，３'  新設屋根材
４，４'  断熱材
５，５'  吊子
６，６'  既設屋根材
７  下地
【図１】
2018131761.tif 000003
【図２】
2018131761.tif 000004
【図３】
2018131761.tif 000005